(57)【要約】【課題】缶本体と蓋を確実に、簡単に連結でき、蓋による施蓋や蓋の取外しが誰でも簡単にスムーズに行え、開口部分を大きく開き易く、負荷をヒンジ部で吸収でき、連結片と蓋の装着部分への負荷が小さく、損傷し難く、取付体を簡単、確実、安定的に装着でき、簡単に逸脱せず、本体がわ連結部をスムーズに安定的に摺動でき、取扱い易く、外観上の体裁が良く、構成簡素で、組立容易で、量産に適し、経済的な蓋用ヒンジ装置を提供する。【解決手段】合成樹脂製連結片１と、連結片１の本体がわ連結部１ａを缶本体Ａに摺動自在に装着する取付体５と、連結片１の蓋がわ連結部１ｂを蓋Ｂに装着する固定手段とを備え、取付体５は、基板６と、本体がわ連結部１ａのガイド孔２内を摺動自在で、缶本体Ａの差込孔１０に差込むガイド突起７とからなり、ガイド突起７は、脚部７ａと、差込孔１０に係止する先端部７ｂとからなり、ガイド突起７の先端部分に切欠溝９を切設する。【選択図】図１
2006176157.tif 000002
【特許請求の範囲】
【請求項１】
適宜金属製の缶本体と、この缶本体の上部開口部分を施蓋可能な適宜金属製の蓋とを連結すると共に、連結状態のまま蓋による缶本体の施蓋が自在に行えるように構成したヒンジ装置であって、撓曲可能なヒンジ部を介して本体がわ連結部と蓋がわ連結部が一体的に連設されている適宜合成樹脂製の連結片と、この連結片の本体がわ連結部を缶本体に摺動自在に装着する取付体と、連結片の蓋がわ連結部を蓋に装着する適宜固定手段とを備え、取付体は、基板と、この基板に突設されると共に、本体がわ連結部に設けられたガイド孔内を摺動自在で、且つ缶本体に穿設した差込孔に差込み自在となるように構成される適数のガイド突起とからなり、ガイド突起は、ガイド孔内に収容される脚部と、この脚部先端に連設されて、差込孔の孔縁部分に係止される先端部とからなり、ガイド突起の先端部分には、先端部の差込孔への挿通を可能とするような切欠溝を切設したことを特徴とする缶容器に於ける蓋用ヒンジ装置。
【請求項２】
適宜金属製の缶本体と、この缶本体の上部開口部分を施蓋可能な適宜金属製の蓋とを連結すると共に、連結状態のまま蓋による缶本体の施蓋が自在に行えるように構成したヒンジ装置であって、撓曲可能なヒンジ部を介して本体がわ連結部と蓋がわ連結部が一体的に連設されている適宜合成樹脂製の連結片と、この連結片の本体がわ連結部を缶本体に摺動自在に装着する取付体と、連結片の蓋がわ連結部を蓋に装着する適宜固定手段とを備え、連結片は、その本体がわ連結部を缶本体の内表面がわに配し、蓋がわ連結部を蓋の内表面がわに配したことを特徴とする缶容器に於ける蓋用ヒンジ装置。
【請求項３】
適宜金属製の缶本体と、この缶本体の上部開口部分を施蓋可能な適宜金属製の蓋とを連結すると共に、連結状態のまま蓋による缶本体の施蓋が自在に行えるように構成したヒンジ装置であって、変形可能なヒンジ部を介して本体がわ連結部と蓋がわ連結部が一体的に連設されている適宜合成樹脂製の可撓連結片を形成し、この可撓連結片の本体がわ連結部を適宜接着手段によって缶本体内表面に接着し、可撓連結片の蓋がわ連結部を適宜接着手段によって蓋の内表面に接着し、ヒンジ部の変形によって、缶本体と蓋が連結状態のまま蓋による缶本体の施蓋が自在に行えるよう構成したことを特徴とする缶容器に於ける蓋用ヒンジ装置。
【発明の詳細な説明】
【技術分野】
【０００１】
本発明は、金属製缶容器に於いて缶本体と蓋を連結して蓋の紛失等を防止すると共に、連結状態のまま蓋による缶本体の施蓋や缶本体からの蓋の取外しが誰でも簡単に且つスムーズに行え、しかも、取扱いが容易で、外観上の体裁が良く、構成が簡素で、組立が容易となり、量産に適し、経済的となるように工夫した缶容器に於ける蓋用ヒンジ装置に関するものである。
【背景技術】
【０００２】
従来、金属製缶容器に於いて缶本体と蓋を連結してあるタイプものとしては、例えば、特許文献１に示すような缶蓋取付装置が開示されている。
これは、缶蓋の側縁へ設けた透孔へ取付片の突部を挿入し、これを扁平に圧着して取付片を固定し、取付片へ設けた長溝と缶壁の上部の透孔へ圧入固定した合成樹脂製突片とを掛合して構成したものである。
【０００３】
【特許文献１】実公昭３６−２３８９４号公報
【発明の開示】
【発明が解決しようとする課題】
【０００４】
ところが、前述の如き缶蓋取付装置にあっては、缶蓋による施蓋や缶本体からの缶蓋の取外しがスムーズに行い難い難点や、缶本体の開口部分を大きく開き難い難点や、取付片と缶蓋との固定部分への負荷が大きくなって、この部分が損傷し易い難点や、外観上の体裁が良くない難点等があった。
【課題を解決するための手段】
【０００５】
そこで、本発明は、前述の如き難点等を解消すべく創出されたもので、請求項１記載の蓋用ヒンジ装置にあっては、適宜金属製の缶本体Ａと、この缶本体Ａの上部開口部分を施蓋可能な適宜金属製の蓋Ｂとを連結すると共に、連結状態のまま蓋Ｂによる缶本体Ａの施蓋が自在に行えるように構成したヒンジ装置であって、撓曲可能なヒンジ部１ｃを介して本体がわ連結部１ａと蓋がわ連結部１ｂが一体的に連設されている適宜合成樹脂製の連結片１と、この連結片１の本体がわ連結部１ａを缶本体Ａに摺動自在に装着する取付体５と、連結片１の蓋がわ連結部１ｂを蓋Ｂに装着する適宜固定手段とを備え、取付体５は、基板６と、この基板６に突設されると共に、本体がわ連結部１ａに設けられたガイド孔２内を摺動自在で、且つ缶本体Ａに穿設した差込孔１０に差込み自在となるように構成される適数のガイド突起７とからなり、ガイド突起７は、ガイド孔２内に収容される脚部７ａと、この脚部７ａ先端に連設されて、差込孔１０の孔縁部分に係止される先端部７ｂとからなり、ガイド突起７の先端部分には、先端部７ｂの差込孔１０への挿通を可能とするような切欠溝９を切設する手段を採用した。
【０００６】
また、請求項２記載の蓋用ヒンジ装置にあっては、適宜金属製の缶本体Ａと、この缶本体Ａの上部開口部分を施蓋可能な適宜金属製の蓋Ｂとを連結すると共に、連結状態のまま蓋Ｂによる缶本体Ａの施蓋が自在に行えるように構成したヒンジ装置であって、撓曲可能なヒンジ部１ｃを介して本体がわ連結部１ａと蓋がわ連結部１ｂが一体的に連設されている適宜合成樹脂製の連結片１と、この連結片１の本体がわ連結部１ａを缶本体Ａに摺動自在に装着する取付体５と、連結片１の蓋がわ連結部１ｂを蓋Ｂに装着する適宜固定手段とを備え、連結片１は、その本体がわ連結部１ａを缶本体Ａの内表面がわに配し、蓋がわ連結部１ｂを蓋Ｂの内表面がわに配する手段を採用した。
【０００７】
更に、請求項３記載の蓋用ヒンジ装置にあっては、適宜金属製の缶本体Ａと、この缶本体Ａの上部開口部分を施蓋可能な適宜金属製の蓋Ｂとを連結すると共に、連結状態のまま蓋Ｂによる缶本体Ａの施蓋が自在に行えるように構成したヒンジ装置であって、変形可能なヒンジ部２０ｃを介して本体がわ連結部２０ａと蓋がわ連結部２０ｂが一体的に連設されている適宜合成樹脂製の可撓連結片２０を形成し、この可撓連結片２０の本体がわ連結部２０ａを適宜接着手段によって缶本体Ａ内表面に接着し、可撓連結片２０の蓋がわ連結部２０ｂを適宜接着手段によって蓋Ｂの内表面に接着し、ヒンジ部２０ｃの変形によって、缶本体Ａと蓋Ｂが連結状態のまま蓋Ｂによる缶本体Ａの施蓋が自在に行えるよう構成する手段を採用した。
【発明の効果】
【０００８】
従って、請求項１記載の蓋用ヒンジ装置によれば、金属製缶容器に於いて缶本体Ａと蓋Ｂを確実に且つ簡単に連結できるようになり、蓋Ｂの紛失等を防止できるようになり、更に、連結状態のまま蓋Ｂによる缶本体Ａの施蓋や缶本体Ａからの蓋Ｂの取外しが誰にでも簡単に且つスムーズに行えるようになる。
しかも、取扱いが容易で、外観上の体裁が良く、構成が簡素で、組立が容易となり、量産に適し、経済的な缶容器に於ける蓋用ヒンジ装置となる。
【０００９】
特に、撓曲可能なヒンジ部１ｃを介して本体がわ連結部１ａと蓋がわ連結部１ｂが一体的に連設されている適宜合成樹脂製の連結片１を設けたので、蓋Ｂによる缶本体Ａの施蓋や缶本体Ａからの蓋Ｂの取外しがスムーズに行えるようになり、缶本体Ａの開口部分を大きく開き易くなる。更に、連結片１への負荷をヒンジ部１ｃで吸収できるようになり、連結片１と蓋Ｂの装着部分への負荷が小さくて済むようになり、この部分が損傷し難いものとなる。
【００１０】
加えて、取付体５は、基板６と、この基板６に突設されると共に、本体がわ連結部１ａに設けられたガイド孔２内を摺動自在で、且つ缶本体Ａに穿設した差込孔１０に差込み自在となるように構成される適数のガイド突起７とからなり、ガイド突起７は、ガイド孔２内に収容される脚部７ａと、この脚部７ａ先端に連設されて、差込孔１０の孔縁部分に係止される先端部７ｂとからなり、ガイド突起７の先端部分には、先端部７ｂの差込孔１０への挿通を可能とするような切欠溝９を切設してあるので、取付体５を缶本体Ａに簡単に、確実に、且つ安定的に装着できるようになり、しかも、一旦装着されると簡単に逸脱しないものとなる。更に、連結片１の本体がわ連結部１ａ部分が缶本体Ａ及び取付体５に対してスムーズに且つ安定的に摺動できるようになる。
【００１１】
また、請求項２記載の蓋用ヒンジ装置によれば、金属製缶容器に於いて缶本体Ａと蓋Ｂを確実に且つ簡単に連結できるようになり、蓋Ｂの紛失等を防止できるようになり、更に、連結状態のまま蓋Ｂによる缶本体Ａの施蓋や缶本体Ａからの蓋Ｂの取外しが誰にでも簡単に且つスムーズに行えるようになる。
しかも、取扱いが容易で、外観上の体裁が良く、構成が簡素で、組立が容易となり、量産に適し、経済的な缶容器に於ける蓋用ヒンジ装置となる。
【００１２】
特に、連結片１は、その本体がわ連結部１ａを缶本体Ａの内表面がわに配し、蓋がわ連結部１ｂを蓋Ｂの内表面がわに配したので、連結片１自身が缶内に隠れるようになり、外観上の体裁がより優れたものとなる。
【００１３】
加えて、撓曲可能なヒンジ部１ｃを介して本体がわ連結部１ａと蓋がわ連結部１ｂが一体的に連設されている適宜合成樹脂製の連結片１を設けたので、蓋Ｂによる缶本体Ａの施蓋や缶本体Ａからの蓋Ｂの取外しがスムーズに行えるようになり、缶本体Ａの開口部分を大きく開き易くなる。更に、連結片１への負荷をヒンジ部１ｃで吸収できるようになり、連結片１と蓋Ｂの装着部分への負荷が小さくて済むようになり、この部分が損傷し難いものとなる。
【００１４】
更に、請求項３記載の蓋用ヒンジ装置によれば、金属製缶容器に於いて缶本体Ａと蓋Ｂを確実に且つ簡単に連結できるようになり、蓋Ｂの紛失等を防止できるようになり、また、連結状態のまま蓋Ｂによる缶本体Ａの施蓋や缶本体Ａからの蓋Ｂの取外しが誰にでも簡単に且つスムーズに行えるようになる。
しかも、取扱いが容易で、外観上の体裁が良く、構成が簡素で、組立が容易となり、量産に適し、経済的な缶容器に於ける蓋用ヒンジ装置となる。
【００１５】
特に、変形可能なヒンジ部２０ｃを介して本体がわ連結部２０ａと蓋がわ連結部２０ｂが一体的に連設されている適宜合成樹脂製の可撓連結片２０を形成し、この可撓連結片２０の本体がわ連結部２０ａを適宜接着手段によって缶本体Ａ内表面に接着し、可撓連結片２０の蓋がわ連結部２０ｂを適宜接着手段によって蓋Ｂの内表面に接着し、ヒンジ部２０ｃの変形によって、缶本体Ａと蓋Ｂが連結状態のまま蓋Ｂによる缶本体Ａの施蓋が自在に行えるよう構成したので、可撓連結片２０自身が缶内に隠れるようになり、外観上の体裁がより優れたものとなる。
加えて、蓋Ｂによる缶本体Ａの施蓋や缶本体Ａからの蓋Ｂの取外しがスムーズに行えるようになり、缶本体Ａの開口部分を大きく開き易くなる。更に、可撓連結片２０への負荷をヒンジ部２０ｃで吸収できるようになり、可撓連結片２０と蓋Ｂの装着部分への負荷が小さくて済むようになり、この部分が損傷し難いものとなる。
【発明を実施するための最良の形態】
【００１６】
以下、本発明を図示例に基づいて説明すると、次の通りである。
本発明は、金属製缶本体Ａと金属製蓋Ｂを連結して蓋Ｂの紛失等を防止すると共に、連結状態のまま蓋Ｂによる缶本体Ａの施蓋や缶本体Ａからの蓋Ｂの取外しが誰でも簡単に且つスムーズに行えるようにした缶容器に於ける蓋用ヒンジ装置である。
更に、この蓋用ヒンジ装置は、撓曲可能なヒンジ部１ｃを介して本体がわ連結部１ａと蓋がわ連結部１ｂが一体的に連設されている適宜合成樹脂製の連結片１と、この連結片１の本体がわ連結部１ａを缶本体Ａに摺動自在に装着する取付体５と、連結片１の蓋がわ連結部１ｂを蓋Ｂに装着する適宜固定手段とを備え、取付体５は、基板６と、この基板６に突設されると共に、本体がわ連結部１ａに設けられたガイド孔２内を摺動自在で、且つ缶本体Ａに穿設した差込孔１０に差込み自在となるように構成される適数のガイド突起７とからなり、ガイド突起７は、ガイド孔２内に収容される脚部７ａと、この脚部７ａ先端に連設されて、差込孔１０の孔縁部分に係止される先端部７ｂとからなり、ガイド突起７の先端部分には、先端部７ｂの差込孔１０への挿通を可能とするような切欠溝９を切設することにより、前述の如き課題を達成できるようにしたものである。
【実施例】
【００１７】
先ず、図１乃至図５に示す本発明の蓋用ヒンジ装置は、缶容器の外表面に密接するように配されると共に、缶本体Ａと蓋Ｂに跨るように配される連結片１と、この連結片１の外表面がわに配されて、連結片１が缶本体Ａに対して上下方向に摺動自在となるように缶本体Ａに連結片１を装着するための取付体５と、連結片１を蓋Ｂに固定するための適宜固定手段と、取付体５を缶本体Ａの周壁部分に安定的に装着するための補強片１６とで構成されている。
【００１８】
そして、前記連結片１は、例えば、適宜合成樹脂材（ポリプロピレン、或いはその他の合成樹脂材）によって略縦長楕円板状に一体的に成型されており、この略縦長楕円板の上端寄りに略水平に配される撓曲可能なヒンジ部１ｃを境として、その下部に本体がわ連結部１ａが配され、その上部に蓋がわ連結部１ｂが配されている。すなわち、ヒンジ部１ｃ部分の撓曲によって、連結片１が自在に折れ曲るよう構成されている。
【００１９】
また、連結片１の本体がわ連結部１ａ中央部分には、略縦長矩形状のガイド孔２が穿設され、連結片１の蓋がわ連結部１ｂ中央部分には、貫通孔３が穿設されている。
更に、ヒンジ部１ｃは、缶容器の外表面外方に向って突出するような側面略く字状に形成されており、このヒンジ部１ｃがスムーズに撓曲できるよう形成されている。
尚、このヒンジ部１ｃは、例えば、その肉厚を薄く構成しただけのものや、その他適宜構成を採用できるもので、スムーズな撓曲が実現でき、繰返し撓曲しても簡単に損傷しない耐久性の優れたものであれば良い。ところで、ヒンジ部１ｃを、外表面外方に向って突出するような側面略く字状に形成することにより、この凹んだ部分に蓋Ｂ下端周縁に周設したカール部分がきれいに納まるようになり、外観上の体裁がより良いものとなる。
【００２０】
前記取付体５は、例えば、適宜合成樹脂材によって一体的に成型されており、略縦長円板状の基板６と、この基板６に突設されると共に、本体がわ連結部１ａに設けられたガイド孔２内を摺動自在で、且つ缶本体Ａに穿設した差込孔１０に差込み自在となるように構成される二つのガイド突起７とで構成されている。
すなわち、取付体５を缶本体Ａに簡単に、確実に、且つ安定的に装着できるように形成されており、しかも、この取付体５によって連結片１がスムーズに且つ安定的に上下に摺動できるよう形成されている。
【００２１】
基板６は、例えば、連結片１のガイド孔２より大きく（少なくとも幅広とする）形成され、ガイド孔２を基板６で隠せるようにして、外観上の体裁が良くなるように形成することができる。
【００２２】
ガイド突起７は、基板６の所定位置に突設されると共に、ガイド孔２内に収容される略円柱状の脚部７ａと、この脚部７ａ先端に連設されて、差込孔１０の孔縁部分に係止される顎部８を有する略円錐状の先端部７ｂとからなり、ガイド突起７の先端部分には、先端部７ｂの差込孔１０への挿通をより容易とするような切欠溝９が切設されている。
すなわち、取付体５が缶本体Ａに一旦装着されると顎部８によって簡単に逸脱せず、先端部７ｂより小さな差込孔１０や差込孔１７への差込み装着が切欠溝９によってスムーズに行えるように形成されている。
【００２３】
前記固定手段は、例えば、適宜金属製（或いは、合成樹脂製でも良い）のリベット１５が利用され、このリベット１５の軸部が、蓋がわ連結部１ｂの貫通孔３と蓋Ｂの取付孔１１とを貫通した状態で連結固着できるように形成されている。
尚、この固定手段は、例えば、固定手段自体が目立たず、外観上の体裁が良くなるような接着手段を利用しても良いし、その他の適宜固定手段を利用しても良い。
【００２４】
前記補強片１６は、例えば、適宜合成樹脂材（或いは、適宜金属材や複合材等でも良い）によって略細長帯板状に形成されており、その所定位置には、缶本体Ａの差込孔１０に合致するような差込孔１７が穿設されている。すなわち、比較的肉薄となる缶本体Ａの周壁部分に、取付体５を強固に固定できるように形成されたものである。
更に、補強片１６は、缶本体Ａに強固に固定できるように、缶本体Ａの内表面に接着したり、その上端部分を缶本体Ａの上部開口部分に周設されているカール部分で挟圧保持しても良い。
【００２５】
ところで、前記金属製缶容器は、例えば、略有底円筒状の金属製缶本体Ａと、略有天短円筒状の金属製蓋Ｂとからなり、蓋Ｂの天板中央には、蓋Ｂの施蓋や取外し操作が行い易くなるように摘み３０が固定されている。
尚、缶容器は、例えば、図示例のような円筒状のものだけでなく、角筒状のものや、多角形筒状のものや、その他の適宜形状のものが利用でき、しかも、缶本体Ａ上部への蓋Ｂの冠着深さ等も適宜寸法のものが利用できる。更に、摘み３０自体の有無、具体的構成、形状、寸法、材質、固定手段等も適宜自由に設定、変更できるものである。
【００２６】
また、本発明の他の蓋用ヒンジ装置としては、缶容器の内表面に密接するように配されると共に、缶本体Ａと蓋Ｂに跨るように配される連結片１と、この連結片１の内表面がわに配されて、連結片１が缶本体Ａに対して上下方向に摺動自在となるように缶本体Ａに連結片１を装着するための取付体５と、連結片１を蓋Ｂに固定するための適宜固定手段とで構成したものであっても良い。
すなわち、連結片１は、前述の如く撓曲可能なヒンジ部１ｃを介して本体がわ連結部１ａと蓋がわ連結部１ｂとを一体的に連設して構成したものを利用し、取付体５は、前述の如く基板６に複数のガイド突起７を突設して構成したものを利用し、固定手段は、連結片１の蓋がわ連結部１ｂを蓋Ｂの周壁の内表面、或いは天板の内表面に固定できるように構成したものを利用して、図１乃至図５に示した蓋用ヒンジ装置のように、連結片１及び取付体５が缶容器の外表面がわに露出したものでなく、これら連結片１及び取付体５を缶容器内表面がわに配して、外観上の体裁がより優れたものとなるようにしてある。尚、この場合、補強片１６は設けなくても良い。
【００２７】
更に、図６及び図７に示す蓋用ヒンジ装置は、自在に変形可能となるような（或いは、ある程度柔軟で、弾性限度内で変形可能となるような）ヒンジ部２０ｃを構成し、このヒンジ部２０ｃを介して略矩形板状の本体がわ連結部２０ａと略矩形板状の蓋がわ連結部２０ｂが一体的に連設されるような適宜合成樹脂製の可撓連結片２０を形成し、この可撓連結片２０の本体がわ連結部２０ａを適宜接着手段によって缶本体Ａ内表面に接着し、可撓連結片２０の蓋がわ連結部２０ｂを適宜接着手段によって蓋Ｂの内表面に接着して、ヒンジ部２０ｃの変形によって、缶本体Ａと蓋Ｂが連結状態のまま蓋Ｂによる缶本体Ａの施蓋が自在に行えるように構成されている。
すなわち、この蓋用ヒンジ装置は、缶容器内表面がわに配され、外観上の体裁がより優れたものとなるよう形成されている。
尚、本体がわ連結部２０ａの缶本体Ａへの固定手段や、蓋がわ連結部２０ｂの蓋Ｂへの固定手段は、接着剤によるものだけでなく、リベットやその他の固定手段を利用或いは併用しても良い。
【００２８】
ところで、蓋用ヒンジ装置の具体的構成、缶本体Ａの具体的構成、形状、寸法、材質、連結片１の具体的構成、形状、寸法、材質、本体がわ連結部１ａの具体的構成、形状、寸法、材質、蓋がわ連結部１ｂの具体的構成、形状、寸法、材質、ヒンジ部１ｃの具体的構成、形状、寸法、材質、ガイド孔２の具体的構成、形状、寸法、配設位置、貫通孔３の具体的構成、形状、寸法、配設位置、数、取付体５の具体的構成、形状、寸法、材質、基板６の具体的構成、形状、寸法、材質、ガイド突起７の具体的構成、形状、寸法、材質、配設位置、数、脚部７ａの具体的構成、形状、寸法、配設位置、数、先端部７ｂの具体的構成、形状、寸法、材質、顎部８の具体的構成、形状、寸法、材質、切欠溝９の具体的構成、形状、寸法、差込孔１０の具体的構成、形状、寸法、配設位置、数、取付孔１１の具体的構成、形状、寸法、配設位置、数、固定手段の具体的構成、リベット１５の具体的構成、形状、寸法、材質、配設位置、数、補強片１６の具体的構成、形状、寸法、材質、配設位置、可撓連結片２０の具体的構成、形状、寸法、材質、本体がわ連結部２０ａの具体的構成、形状、寸法、材質、蓋がわ連結部２０ｂの具体的構成、形状、寸法、材質、ヒンジ部２０ｃの具体的構成、形状、寸法、材質、蓋Ｂの具体的構成、形状、寸法、材質等は、図示例のもの等に限定されることなく適宜自由に設定、変更できるものである。
【図面の簡単な説明】
【００２９】
【図１】本発明の蓋用ヒンジ装置を例示する分解斜視図である。
【図２】本発明の蓋用ヒンジ装置を例示する正面図である。
【図３】本発明の蓋用ヒンジ装置を例示する縦断側面図である。
【図４】本発明の蓋用ヒンジ装置を例示する縦断側面図である。
【図５】本発明の蓋用ヒンジ装置を例示する縦断側面図である。
【図６】本発明の他の蓋用ヒンジ装置を例示する縦断側面図である。
【図７】本発明の他の蓋用ヒンジ装置を例示する縦断側面図である。
【符号の説明】
【００３０】
Ａ      缶本体
１      連結片
１ａ    本体がわ連結部      １ｂ    蓋がわ連結部
１ｃ    ヒンジ部
２      ガイド孔
３      貫通孔
５      取付体
６      基板
７      ガイド突起
７ａ    脚部                ７ｂ    先端部
８      顎部
９      切欠溝
１０    差込孔
１１    取付孔
１５    リベット
１６    補強片
１７    差込孔
２０    可撓連結片
２０ａ  本体がわ連結部      ２０ｂ  蓋がわ連結部
２０ｃ  ヒンジ部
Ｂ      蓋
３０    摘み
【図１】
2006176157.tif 000003
【図２】
2006176157.tif 000004
【図３】
2006176157.tif 000005
【図４】
2006176157.tif 000006
【図５】
2006176157.tif 000007
【図６】
2006176157.tif 000008
【図７】
2006176157.tif 000009